(57)【要約】本装置は、インターネットサービスを提供するために、ブロードバンド接続（７）介してホームネットワークをサービスプロバイダネットワークに接続するように適合された装置であって、前記装置は、送出接続については、第１のプロトコルに従った前記ホームネットワークのデータストリームを受信し、第２のプロトコルに従った前記データストリームを前記サービスプロバイダネットワークに送信し、入来接続についてはその逆をするためのメディアリレー（１）を備える。前記メディアリレーは、前記メディアリレーを前記ホームネットワークにリンク付けし、前記受信するデータストリームの前記メディアデータからシグナリングデータを分離するためのメディアデバイスインターフェース（２）と、前記第１のプロトコルに従った前記シグナリングデータを前記第２のプロトコルに従った前記シグナリングデータに変換するためのシグナリングスイッチ（３）と、前記第１のプロトコルに従った前記メディアデータを前記第２のプロトコルに従った前記メディアデータに変換するためのメディアスイッチ（４）と、前記メディアリレーを前記サービスプロバイダネットワークにリンク付けし、前記シグナリングスイッチ（３）からの前記シグナリングデータと前記メディアスイッチ（４）からの前記メディアデータとを結合するためのネットワークインターフェース（５）とを含む。
2016508315.tif 000002
【特許請求の範囲】
【請求項１】
インターネットサービスを提供するために、ブロードバンド接続（７）を介してホームネットワークをサービスプロバイダネットワーク（８）に接続するように適合された装置であって、前記装置は、送出接続については、第１のプロトコルに従った前記ホームネットワークのデータストリームを受信し、第２のプロトコルに従って前記データストリームを前記サービスプロバイダネットワーク（８）に送信し、入来接続についてはその逆をするためのメディアリレー（１）を備え、前記メディアリレー（１）は、
前記メディアリレーを前記ホームネットワークにリンク付けし、当該受信するデータストリームのメディアデータからシグナリングデータを分離するためのメディアデバイスインターフェース（２）と、
前記第１のプロトコルに従った前記シグナリングデータを前記第２のプロトコルに従った前記シグナリングデータに変換するためのシグナリングスイッチ（３）と、
前記第１のプロトコルに従った前記メディアデータを前記第２のプロトコルに従った前記メディアデータに変換するためのメディアスイッチ（４）と、
前記メディアリレーを前記サービスプロバイダネットワーク（８）にリンク付けし、前記シグナリングスイッチ（３）からの前記シグナリングデータと前記メディアスイッチ（４）からの前記メディアデータとを結合するためのネットワークインターフェース（５）と、
を含む、前記装置。
【請求項２】
前記シグナリングスイッチ（３）は、前記メディアデバイスインターフェース（２）から前記メディアデータのメタデータ及び生データを受信し、前記メディアデバイスインターフェース（２）は、送出接続に関する前記メディアスイッチ（４）に関する前記メディアデータの前記メタデータを生成するように適合され、前記ネットワークインターフェース（５）は、前記メディアスイッチからの生メディアデータを有するメタデータを使用して送出接続に関する前記メディアデータを再生成し、入来接続に関してはその逆をする、請求項１に記載の装置。
【請求項３】
前記メディアスイッチ（４）は、多数の異なる入口接続ポイント及び多数の異なる出口接続ポイントを含み、前記メタデータは、前記入口及び出口接続ポイントのそれぞれ１つを選択するために、前記メディアスイッチ（４）によって使用されるソース及び宛先ポート数並びに／又は前記第１及び第２のプロトコル間の前記データストリームの任意の変換を定めるためのパラメータを含む、請求項１又は２に記載の装置。
【請求項４】
前記メディアスイッチ（４）は、生データ（２０）の接続に関するリレー接続ポイント、ＲＴＰ/ＲＴＣＰ（リアルタイム伝送プロトコル/リアルタイム移送制御プロトコル）接続ポイント（２１）、ファイル接続ポイント（２２）、ＤＳＰ（デジタル信号処理）接続ポイント（２３）、コード変換接続ポイント（２４）及び／又はマルチキャスト接続ポイント（２５）を含む、請求項１乃至３の何れかに記載の装置。
【請求項５】
前記接続ポイントの各々は、入口接続ポイント（２０−２６）又は出口接続ポイント（３０−３６）とすることができる、請求項４に記載の装置。
【請求項６】
前記第１のプロトコル及び前記第２のプロトコルは、同一又は異なる、請求項１乃至５の何れかに記載の装置。
【請求項７】
前記装置は、レジデンシャルゲートウェイ、エンタープライズゲートウェイ若しくはメディアゲートウェイ、セットトップボックス、携帯コンピュータ又はスマートフォンである、請求項１乃至６の何れかに記載の装置。
【請求項８】
前記メタデータは、前記第１及び第２のプロトコルの一種、及び／又は前記メディアデータを扱うためのパラメータを含む、請求項１乃至７の何れかに記載の装置。
【発明の詳細な説明】
【技術分野】
【０００１】
本発明は、エンドユーザデバイスの分野に関し、より詳細には、インターネットサービスを提供するためにブロードバンド接続を介してサービスプロバイダネットワークで動作するレジデンシャルゲートウェイに関する。
【背景技術】
【０００２】
レジデンシャル（residential:住宅用）ゲートウェイは、顧客の家庭内のデバイスをインターネット又は他のワイドエリアネットワーク（ＷＡＮ）に接続するために広く用いられる。レジデンシャルゲートウェイは、例えば、銅線を通じた高いデータレート伝送、高速無線通信又は光学ファイバブロードバンド伝送システムを可能にするデジタル加入者回線（ｘＤＳＬ）技術を使用する。ホームネットワークは、多くのエンドユーザのための毎日の生活の一部となっている。ホームネットワークは、ホームネットワークが異なる種類のデバイスで構成されていることを意味する様々な異種構成要素からなる。全てのこれらのデバイスは、互いに及びインターネットと通信することを必要とする。
【０００３】
ホームネットワークに用いられるような、一般的なレジデンシャルゲートウェイは、典型的に、マイクロプロセッサ、ソフトウェアモジュール及びアプリケーションを有するオペレーティングシステムが記録された不揮発性メモリ、並びにレジデンシャルゲートウェイの動作のための揮発性メモリを含む。レジデンシャルゲートウェイのオペレーティングシステムは、例えば、ＬＩＮＵＸオペレーティングシステム及びアプリケーションのための実行環境を表すゲートウェイ固有のミドルウェアである。ソフトウェアモジュールは、例えば、ＤＳＬモデム機能、ケーブル若しくは光モデム機能、ゲートウェイ及びスイッチング機能、ＦＸＳ機能、ＶｏＩＰ機能性を提供し、無線動作及びイーサネットブリッジのためのＷｉ−Ｆｉノードを含む。
【０００４】
レジデンシャルゲートウェイは、それ故に、異なる多数のメディアストリーミング技術を管理しなければならず、異なるメディアインタラクタ間の伝送プロトコルにおいてしばしばミスマッチがある。例えば、ＶｏＩＰ（ボイスオーバーインターネットプロトコル）はＲＴＰ/ＲＴＣＰ（リアルタイム移送プロトコル／ＲＴＰ制御プロトコル）パケットを使用し、ＦＸＳ/ＦＸＯ（外国為替サービス／外貨交換所）はＤＳＰ（デジタル信号プロセッサ）から入来するメディアサンプルを使用し、留守番電話は再生される／記録される必要があるファイルを使用する等である。あるタイプから他のタイプへの異なる伝送プロトコルをリンク付けすることは、しばしば複雑で個人的な実装となる。
【０００５】
米国特許出願第20050190743号は、複数のプロトコルハンドラと、プロトコルハンドラの各々と通信する複数のオペレーションモジュールと、を備えたレジデンシャルゲートウェイを開示する。第１のプロトコルハンドラは、所与の顧客プロトコル又はサービスプロバイダプロトコルに関連付けられ、関連付けられたプロトコルに適合する入力信号を一般的な情報フォーマットに変換するように構成されている。第２のプロトコルハンドラは、一般的な情報フォーマットから第２の関連付けられたプロトコルに適合する出力信号に情報を変換するようにさらに構成されている。オペレーションモジュールの１つは、第１のプロトコルハンドラを第２のプロトコルハンドラに接続し、一般的な情報フォーマットにおける情報を使用して電気通信動作を実行するように構成されている。
【発明の概要】
【０００６】
本装置は、インターネットサービスを提供するためにブロードバンド接続を介してホームネットワークをサービスプロバイダネットワークに接続するように適合され、第１のプロトコルに従ったホームネットワークのデータストリームを受信し、第２のプロトコルに従ったデータストリームを送出接続に送信し、入来接続に関してはこれとは逆にして送信するためのメディアリレーを備える。上記メディアリレーは、上記メディアリレーを上記ホームネットワークにリンク付けし、受信データストリームのメディアデータからシグナリングデータを分離するためのメディアデバイスインターフェースと、上記第１のプロトコルに従った上記シグナリングデータを上記第２のプロトコルに従った上記シグナリングデータに変換するシグナリングスイッチと、上記メディアリレーを上記サービスプロバイダネットワークにリンク付けし、上記シグナリングスイッチからの上記シグナリングデータと上記メディアスイッチからの上記メディアデータとを結合するためのネットワークインターフェースと、を含む。
【０００７】
本発明の更なる態様において、上記シグナリングスイッチは上記メディアデバイスインターフェースから上記メディアデータのメタデータ及び生データを受信し、上記メディアデバイスインターフェースは送出接続に関する上記メディアスイッチのための上記メディアデータに適用可能なメタデータを生成し、上記ネットワークインターフェースは上記メディアスイッチからの上記生メディアデータを有するメタデータを使用して、送出接続に関する上記メディアデータを再生成し、入来接続に関してはこれとは逆にして再生成する。上記シグナリングスイッチは、上記メディアデバイスインターフェースから上記メディアデータの上記メタデータ及び生データを受信する。上記メディアスイッチは、特に、多数の異なるプロトコルに従ってデータストリームを処理するための多数の異なる入口接続ポイント及び多数の異なる出口接続ポイントを含む。上記メタデータは、特に、第１及び第２のプロトコルの一種と、上記メディアスイッチによって使用され、第１及び第２のプロトコル間の変換のタイプを定め、第１及び第２のプロトコルが同一である場合には変換を必要としないことを定めるソース及び宛先ポート数と、を含む。上記ポート数はまた、有利には、上記メディアスイッチの個々の入口接続ポイント及び個々の出口接続ポイントを選択するために、上記メディアスイッチによって用いられる。
【０００８】
本発明は、上記メディアスイッチの複雑性を低減するためにメディア伝送プロトコルの抽象的概念（abstruction）を作るマルチメディアストリーミングアーキテクチャを提供する。その結果、異なるタイプのエンドデバイスは、何の伝送プロトコルが他方で用いられているのかを知る必要なく容易に相互接続することができる。
【図面の簡単な説明】
【０００９】
本発明の好ましい実施形態は、概略図を参照して例示の目的で以下により詳細に説明される。
【図１】メディアスイッチを有するメディアリレーを含む、ホームネットワークに関するレジデンシャルゲートウェイを示す図である。
【図２】多数の入口接続ポイント及び出口接続ポイントを含むメディアスイッチを示す図である。
【図３】図２のメディアスイッチの例示的な実施形態を示す図である。
【図４】異なる接続ポイントタイプ及び異なる変換を有する、図２のメディアスイッチの特定例を示す図である。
【図５】異なる接続ポイントタイプ及び異なる変換を有する、図２のメディアスイッチの特定例を示す図である。
【図６】異なる接続ポイントタイプ及び異なる変換を有する、図２のメディアスイッチの特定例を示す図である。
【図７】異なる接続ポイントタイプ及び異なる変換を有する、図２のメディアスイッチの特定例を示す図である。
【図８】異なる接続ポイントタイプ及び異なる変換を有する、図２のメディアスイッチの特定例を示す図である。
【図９】異なる接続ポイントタイプ及び異なる変換を有する、図２のメディアスイッチの特定例を示す図である。
【図１０】異なる接続ポイントタイプ及び異なる変換を有する、図２のメディアスイッチの特定例を示す図である。
【図１１】異なる接続ポイントタイプ及び異なる変換を有する、図２のメディアスイッチの特定例を示す図である。
【図１２ａ】異なる接続ポイントタイプ及び異なる変換を有する、図２のメディアスイッチの特定例を示す図である。
【図１２ｂ】異なる接続ポイントタイプ及び異なる変換を有する、図２のメディアスイッチの特定例を示す図である。
【図１３】異なる接続ポイントタイプ及び異なる変換を有する、図２のメディアスイッチの特定例を示す図である。
【図１４】異なる接続ポイントタイプ及び異なる変換を有する、図２のメディアスイッチの特定例を示す図である。
【発明を実施するための形態】
【００１０】
以下の説明において、インターネットサービスを提供するためにブロードバンド接続を介してホームネットワークをサービスプロバイダネットワークに接続するために適合される装置が説明される。例示の目的で、多くの特定の詳細は、好ましい実施形態の完全な理解を提供するために説明される。しかしながら、本発明は、これらの特定の詳細なしで行われ得ることは当業者にとって明らかである。
【００１１】
本装置は、例えば、レジデンシャルゲートウェイ若しくはメディアゲートウェイ、ルータ、スイッチ又はセットトップボックスであり、好ましい実施形態においてマイクロプロセッサ、オペレーティングシステム及びアプリケーションが記録された不揮発性メモリ、並びに本装置の動作のための揮発性メモリを含む。本装置のオペレーティングシステムは、例えば、ＬＩＮＵＸオペレーティングシステム及びデバイス実行環境を表すデバイス固有のミドルウェアである。本デバイス実行環境は、ＤＳＬモデム機能、ゲートウェイ及びスイッチング機能、ＦＸＳ機能、ＶｏＩＰ機能性並びにＷｉ−Ｆｉ動作を特に提供するためのソフトウェア構成要素を含む。
【００１２】
本装置は、図１に示されるように、メディアデバイスインターフェース２と、シグナリングスイッチ３と、メディアスイッチ４と、ネットワークインターフェース５とを有するメディアリレー１を含む。メディアリレー１は、例えばラップトップ、タブレットＰＣ、スマートフォン又はユーザのホームネットワークのスマートＴＶなどのエンドデバイス６に、メディアデバイスインターフェース２を介してリンク付けされる。本装置は特に、基地局として、例えばレジデンシャルゲートウェイとして、ホームネットワーク内で動作し、ブロードバンド接続７を介して、例えばｘＤＳＬ又はインターネットサービスを提供するために光ファイバ接続を介してホームネットワークをサービスプロバイダネットワーク８に接続する。
【００１３】
メディアデバイスインターフェース２は、シグナリングデータ及びメディアデータを含むエンドデバイス６の任意のメディアストリームを受信し、まだ分離されていない場合、受信メディアストリームのメディアデータからシグナリングデータを分離し、シグナリングデータをシグナリングスイッチ３に、メディアデータをメディアスイッチ４に転送する。ネットワークインターフェース５は、メディアスイッチから任意のシグナリングデータ及びメディアスイッチ４からメディアデータを受信し、送出接続に関する第２のプロトコルに従って任意のシグナリングデータとメディアデータとを結合して、ブロードバンド接続７及びインターネット若しくはインターネットの一部に接続されたサービスプロバイダネットワーク８を介して送出データストリームを第２のユーザの任意のエンドデバイス９に転送する。
【００１４】
入来接続の場合において、例えばエンドデバイス９から、メディアリレーは以下に従って動作する：ネットワークインターフェース５は第１のプロトコルに従ってデータストリームをサービスプロバイダネットワーク８から受信し、受信データストリームのメディアデータからシグナリングデータを分離する。シグナリングデータはシグナリングスイッチ３に転送され、メディアデータはメディアスイッチ４に転送される。メディアデバイスインターフェース２はシグナリングスイッチ３からシグナリングデータを受信し、メディアスイッチ４からメディアデータを受信する。第２のプロトコルに従ってシグナリングデータをメディアデータと結合し、個々のデータストリームをエンドデバイス６に転送する。
【００１５】
メディアデバイスインターフェース２は特に、メディアデータからメタデータをも生成し、生データから分離されたメタデータを送出接続に関するメディアスイッチ４に提供する。生データはデータストリームの生メディアデータであり、例えばデータストリームに含まれるような音声及び／又はビデオデータである。メディアデータに関するメタデータは、シグナリングデータに従って、又はメディアデータプロトコルを認識することに基づいて、生成されることができる。ネットワークインターフェース５は、メディアスイッチ４から受信した時、それに応じてメタデータ及び生データを扱う。入来接続に関して、メタデータはネットワークインターフェース５によってメディアデータから生成され、従ってメディアデバイスインターフェース２によって結合される。メディアスイッチ４は、同じ種類又は異なる種類の少なくとも２つの接続ポイント２０−２６、３０−３６を接続する。
【００１６】
メタデータは、第１及び第２のプロトコルの一種を含み、接続されたデバイスのソース及び宛先ポート数も含み、そのポート数は、第１及び第２のプロトコルの間の変換のタイプを定めるために、又は第１及び第２のプロトコルが同一である場合において変換が必要ないことを認識するためにメディアスイッチによって用いられる。
【００１７】
図２に示されるように、メディアスイッチ４は、入口側及び出口側に多数の接続ポイントを含む。接続ポイント２０−２６、３０−３６の各々は、入口接続ポイント又は出口接続ポイントとすることができる。メディアスイッチ４の一方の側の接続ポイント２０−２６はメディアデバイスインターフェース２にリンク付けされ、接続ポイント３０−３６はネットワークインターフェース５にリンク付けされる。各接続ポイントは、生データ、接続ポイント２０、ＲＴＰ/ＲＴＣＰ（リアルタイム伝送プロトコル／リアルタイム移送制御プロトコル）接続ポイント２１、ファイル接続ポイント２２、ＤＳＰ（デジタル信号処理）接続ポイント２３、コード変換接続ポイント２４、マルチキャスト接続ポイント２５、又は任意の他のメディア接続ポイント２６の接続に関するリレータイプとすることができる特定のメディアプロトコルタイプに従って、特定の機能性を有する。それに応じて、メディアスイッチ４は、その他方、接続ポイント３０−３６で、同じ種類の接続ポイントを含む。
【００１８】
各接続ポイント２０−２６は、メタデータを有しない生データストリームのみを受信するリレー接続ポイント２０を除いて、入口ポイントとして動作するとき、プロトコルの種類に依存するように、メディアデバイスインターフェース２から生メディアストリーム及び生メディアストリームを記述するいくつかのメタデータを受信する。接続ポイント２０−２６が入口ポイントとして動作するとき、接続ポイント３０−３６は、ネットワークインターフェース５とリンク付けられ、出口接続ポイントである。接続ポイント３０−３６が入口接続ポイントとして動作する場合において、その後接続ポイント２１−２６は対応する出口接続ポイントとして動作する。メディアスイッチ４は各入口接続ポイントを出口接続ポイントと適切に相互接続することによって、１つの入口接続ポイントが同じタイプ又は異なるタイプの１つの出口接続ポイントに接続される。任意の２つのデバイス間の相互接続の個々の入口及び出口接続ポイントは、第１及び第２のプロトコルのメタデータ、例えばポート数に従って、メディアスイッチ４によって選択される。
【００１９】
例示的な相互接続に関して、メディアスイッチ４は、図３に示されるように体系化することができる。入来生データストリームは、リレー接続ポイント２０によって受信され、メディアスイッチ４によってＲＴＰ/ＲＴＣＰ出口接続ポイント３１に切り替えられる。入来データストリームは、ＲＴＰ/ＲＴＣＰ入口接続ポイント２１によって受信され、メディアスイッチ４によってファイル出口接続ポイント３２に切り替えられる。入来データストリームは、ファイル入口接続ポイント２２によって受信され、メディアスイッチ４によってＤＳＰ出口接続ポイント３３に切り替えられる。入来データストリームは、ＤＳＰ入口接続ポイント２３によって受信され、メディアスイッチ４によってリレー出口接続ポイント３０に切り替えられる。入来生データストリームは、リレー接続ポイント２０によって受信され、メディアスイッチ４によってコード変換出口接続ポイント３４に切り替えられる。入来生データストリームは、リレー接続ポイント２０によって受信され、メディアスイッチ４によってマルチキャスト出口接続ポイント３４に切り替えられる、等である。
【００２０】
以下の図面において、メディアスイッチ４の例が異なる接続ポイントタイプ及び異なる変換を有することを、より詳細に説明する。ソース及び宛先エンドデバイスのソース及び宛先インターネットアドレス並びにソース及び宛先ポート数を有するメタデータも、これらの図面において含まれる。本例は、入来プロトコル及び送出プロトコルに従って伝送され、変換されたメタデータの伝送及び変換を示さない。
【００２１】
図４は、入口接続ポイント２０から出口接続ポイント３０に、どのようなタイプであろうともデータを通す、リレー接続を示す。メディアスイッチ４を有するレジデンシャルゲートウェイは、エンドデバイス６、例えばラップトップを含むホームネットワークの一部である。ラップトップは、ホームネットワーク及びインターネット８を介して生データストリームを、例えばラップトップとすることもできる他のエンドデバイス９に送る。シグナリングは、ＳＩＰ/ＳＤＰプロトコルを用いることによってデータストリームに関してなされる。図５に示されるように、メディアスイッチによって送られたＩＰパケットは、ＩＰヘッダ５０及び生データパケット５１を含む。ＩＰヘッダは、以下のメタデータ、すなわちソース及び宛先インターネットプロトコルアドレス及び個々のポート数を含む。
【００２２】
エンドデバイス６１からメディアスイッチ４を介してエンドデバイス６２にＲＴＰ/ＲＴＣＰストリームを伝送するレジデンシャルゲートウェイは、図６に示される。ＲＴＰストリームはメディアデータを包含し、ＲＴＣＰストリームは選択的であり、メディアスイッチによってＲＴＰ/ＲＴＣＰ入口接続ポイント２１からＲＴＰ/ＲＴＣＰ出口接続ポイント３１に切り替えられる統計値を包含する。メタデータにおけるＲＴＰ/(ＲＴＣＰ)パラメータは：ＲＴＰソースＩＰ＠：port info、ＲＴＰ宛先ＩＰ＠：port info、（ＲＴＣＰソースＩＰ＠：port info）、（ＲＴＣＰ宛先ＩＰ＠：port info）、（ＲＴＣＰ帯域）、（ＲＴＣＰフラグ（ＲＴＣＰを送ったか否か））、及びメディアデータ＝ＲＴＰストリームが終了したということを知らせるメディアタイムアウトである。インターネットＲＴＰパケット及び選択的インターネットＲＴＣＰパケットは、図７に示されるように見える（ＩＰ＠＝ＩＰアドレス）。
【００２３】
図８は、ＦＸＳ電話呼び出しがメディアスイッチ４によってＲＴＰ/ＲＴＣＰプロトコルに変換される例を示す。ホームネットワークのエンドデバイスとしての電話機８０は、シグナリングトーン（tone）及びボイス、例えば電話番号014234567をホームゲートウェイに伝送し、ホームゲートウェイはインターネットを介して他のエンドデバイス８１に電話呼び出しを伝送する。メディアデバイスインターフェース２において、シグナリングトーンはアナログボイス信号から分離され、エンドデバイス８１に関するシグナリングはＳＩＰ/ＳＤＰを介してなされる。メディアデバイスインターフェース２は、アナログボイスを、メディアスイッチ４の入口接続ポイント２３に伝送されるデジタルデータストリームに変換するカーネルＤＳＰを含む。メディアスイッチ４において、ＤＳＰデータストリームはＲＴＰ/ＲＴＣＰプロトコルに変換され、出口接続ポイント３１を介してエンドデバイス８１に伝送される。ＦＸＳポート及びインターフェースコントロールが低い階層内であり、ボイスストリームはカーネル接続によって識別される。メタデータ内のカーネルパラメータは、すなわちＤＳＰチャネルＩＤである。
【００２４】
レジデンシャルゲートウェイ内にローカルに記録されたトーン、例えばビジートーン（busy tone）は、図９に示されるようにエンドデバイスに伝送される。ビジートーンは、カーネルＤＳＰ８２によって、メディアスイッチ４の入口接続ポイント２３であるＤＳＰチャネルに伝送され、ＲＴＰ/ＲＴＣＰ出口接続ポイント３１を介してエンドデバイスに伝送される。メタデータに関するカーネルパラメータは、すなわちＤＳＰチャネルＩＤ及びトーンＩＤである。
【００２５】
レジデンシャルゲートウェイ内にローカルに記録されたメッセージは、図１０に示されるように伝送される。メッセージは、レジデンシャルゲートウェイのユーザ空間１０１内にファイル１００として記録され、送信バッファ１０２を介してファイル入口接続ポイント２２に伝送され、ＲＴＰプロトコルに従ってＲＴＰ/ＲＴＣＰ出口接続エンドポイント３１を介してエンドデバイスに送信する。ユーザ空間パラメータは、すなわち、読み込み及びファイルを読み込む場所すなわちファイルロケーションに関するファイル記述子、並びに送信バッファサイズである。
【００２６】
レジデンシャルゲートウェイ内にローカルに記録される必要があるメッセージは、従って、図１１に示されるように処理される。メッセージはＲＴＰ/ＲＴＣＰ入口接続ポイント２１を介して受信され、メディアスイッチ４によってファイルに変換されて、ファイル出口接続ポイント３２を介して、ファイルがファイル１１１として記録されているユーザ空間１０１の受信バッファに送信される。この実施形態において、ユーザ空間パラメータは、書き込み及びファイルを書き込む場所すなわちファイルロケーションに関するファイル記述子、並びに書き込みバッファサイズである。
【００２７】
データストリームのコード変換は、図１２（ａ）に示されるようにメディアスイッチ４の入り口側で、又は図１２（ｂ）に示されるようにメディアスイッチ４の出口側で、実行されることができる。図１２（ａ）において、Ｇ.７１１プロトコルに従ったＲＴＰメディアストリームは、コード変換入口接続ポイント２４でＧ.７２２プロトコルに従ったＲＴＰメディアストリームにコード変換され、メディアスイッチ４によってリレー出口接続ポイント２０にリンク付けされる。図１２（ｂ）は、リレー入口接続ポイント２０で受信され、メディアスイッチ４によってコード変換出口接続ポイント３４にリンク付けされた、Ｇ.７１１プロトコルに従ったＲＴＰメディアストリームを示す。
【００２８】
マルチキャスト出口接続ポイント３５の機能は、図１３に示される。Ｇ.７１１プロトコルに従ったＲＴＰメディアストリームは、リレー入口接続ポイント２０で受信され、メディアスイッチ４によってマルチキャスト出口接続ポイント３５にリンク付けされる。マルチキャスト出口接続ポイント３５は、この場合においてＧ.７１１プロトコルに従った多数のＲＴＰメディアストリームを提供する。
【００２９】
この種類のマルチキャスト接続出口ポイントは、図１４に示されるように実施形態において適用される。ＲＴＰ Ｇ.７１１メディアストリームは、リレー入口接続ポイント２０で受信され、リレー入口接続ポイント２０はメディアスイッチ４によってマルチキャスト出口接続ポイント３５にリンク付けされ、マルチキャスト出口接続ポイント３５はＲＴＰメディアストリームを３つのＲＴＰ Ｇ.７１１ストリームに増やす。３つのＲＴＰ Ｇ.７１１ストリームは、メディアスイッチ４のリレー入口接続ポイント２０にそれぞれ接続される。各マルチキャスト入口接続ポイント２０は、適切な出口接続エンドポイントに相互接続される。この実施形態において、３つのストリームのうちの第１のものは、ＲＴＰ Ｇ.７１１メディアストリームを提供するリレー出口接続ポイント３０に接続され、第２のものは例えばボイス入口の記録のためのファイル出口接続ポイント３２に接続され、第３のものはＲＴＰ Ｇ.７１１メディアストリームをＲＴＰ Ｇ.７２２メディアストリームにコード変換するコード変換出口接続ポイント３４に接続される。
【００３０】
本発明の主な利点は、任意のメディア生成器がもはやメディアスイッチ４の受信側及びその逆で使用される伝送プロトコルについて注意を払う必要がないということである。これは、制限された変形のみでの多くの新しいシナリオを許容するために容易に拡張され得る簡単なアーキテクチャを導くであろう。このアプローチは、遅延がほとんどなく非常に効率的になる最適な実装を導く。オペレーティングシステムの観点から、このメディアハンドリングは、ルーティングレイテンシを最適化するように優先順位付けられ得るカーネルワーカースレッドの目的でなされることができる。
【００３１】
また、本発明の他の実施形態は、本発明の範囲から逸脱しない当業者によって利用されることができる。本発明は特に、ｘＤＳＬ伝送を使用するレジデンシャルゲートウェイに制限されず、任意の他の有線又は無線ブロードバンド技術にも適用可能であり、従って全ての種類の装置に関して使用することができる。本発明は、それ故、以下に添付の特許請求の範囲に属する。
【図１】
2016508315.tif 000003
【図２】
2016508315.tif 000004
【図３】
2016508315.tif 000005
【図４】
2016508315.tif 000006
【図５】
2016508315.tif 000007
【図６】
2016508315.tif 000008
【図７】
2016508315.tif 000009
【図８】
2016508315.tif 000010
【図９】
2016508315.tif 000011
【図１０】
2016508315.tif 000012
【図１１】
2016508315.tif 000013
【図１２ａ】
2016508315.tif 000014
【図１２ｂ】
2016508315.tif 000015
【図１３】
2016508315.tif 000016
【図１４】
2016508315.tif 000017
【国際調査報告】
2016508315.tif 000018
2016508315.tif 000019